(57)【要約】  本発明は全電圧の範囲で使用できるＬＬＣ共振コンバーター及びその制御方法に関わるものであり，ＬＬＣ共振パワー変換技術の分野に属する。その技術的手段は電流型のメインループ電流サンプリング装置がＬＬＣ共振変換回路のメインループ電流信号をサンプリングして，整流器で整流して，それから信号をメインループエネルギー計量器具に送信する。母線電圧がVmaxから5％Vmaxの範囲で変化する場合，メインループエネルギー計量器具は母線の瞬間電圧の数値に対応するＬＬＣ共振メインループの剰余エネルギーを計量して，安定しているエネルギー波形Voを出力する。ＬＬＣ共振メインループの剰余共振エネルギーが所定の数値に達する時，エネルギーコンパレーター（比較測定器）が制御信号を出力して，ＬＬＣ共振変換回路の対応するスイッチの閉鎖を制御する。ＬＬＣ共振コンバーターが次の半周期の運転で電子スイッチを開通する時，ゼロ電圧の状態にする。本発明は全電圧範囲で使用できるＬＬＣ共振コンバーター及びその制御方法に関わるものである。信頼性のある方法である。ＬＬＣ共振コンバーターを半導体のコンバーターに設計することも可能である。コンバーターの全体的な寿命は半永久器具の寿命に等しい。本発明は電気自動車の非接触型の充電サービス，電磁感応による加熱，スイッチ電源などの業種に広く応用される。【選択図】図２
2013530670.tif 000002
【特許請求の範囲】
【請求項１】
ＬＬＣ共振変換回路（１），電流型のメインループ電流サンプリング装置（２１），整流器（２２），メインループエネルギー計量器具（２３），比較測定器であるエネルギーコンパレーター（２４），ゼロパルス発生器（２５），発振器（１２），及び分相継電制御器（１１）を含み，
前記電流型のメインループ電流サンプリング装置，前記整流器，前記メインループエネルギー計量器具，前記エネルギーコンパレーター，前記ゼロパルス発生器，前記発振器，及び前記分相継電制御器が順次繋がれており，
前記ＬＬＣ共振変換回路の母線給電電圧がＤＣ，又は電源入力側の交流電気を整流した，エネルギー蓄積コンデンサ及びフリーホイールインダクタンスを経ることなく全波整流した正弦波電圧であると共に，
前記電流型のメインループ電流サンプリング装置が前記ＬＬＣ共振変換回路のメインループ電流信号をサンプリングし，前記整流器がこれを整流して該信号をメインループエネルギー計量器具に送信するように構成されており，
前記母線の電圧が5％VmaxからVmaxの範囲で変化する場合，前記メインループエネルギー計量器具は前記母線における瞬間電圧の数値に対応するＬＬＣ共振メインループ電流の剰余エネルギーを計量して，安定しているエネルギー波形（Vo）を出力し，
前記ＬＬＣ共振変換回路のメインループ剰余エネルギーが所定の数値（Vｆ）に達すると，前記エネルギーコンパレーターが制御信号を，前記ゼロパルス発生器に出力し，
前記ゼロパルス発生器が前記発振器に対しゼロパルスを出力し，前記発振器がゼロの状態となると共に，
前記分相継電制御器が前記ＬＬＣ共振変換回路の対応する電子スイッチを切り，ＬＬＣ共振メインループの剰余エネルギーはＬＬＣ共振コンバーターにおける次の半周期の運転に対応して電子スイッチを開通する時，ゼロ電圧の状態におかれることを特徴とする全電圧範囲用ＬＬＣ共振コンバーター。
【請求項２】
前記ＬＬＣ共振変換回路が，電子スイッチ（ｓ１，ｓ２），ハーフブリッジ方式あるいはフルブリッジ方式，あるいはプッシュプル構成の出力端によって画成され，前記出力端間に共振インダクタンス（Lr），共振コンデンサ（Cr），変圧器（Tr）の一次コイルが直列に接続されていることを特徴とする請求項１記載の全電圧範囲用ＬＬＣ共振コンバーター。
【請求項３】
前記電流型のメインループ電流サンプリング装置としてホール素子あるいは変流器によって構成される電流型の電流サンプリング器具を使用し，前記整流器を全波整流回路によって構成し，前記メインループエネルギー計量器具を変換リミッタ回路によって構成すると共に，前記ゼロパルス発生器は微分回路であることを特徴とする請求項１又は２記載の全電圧範囲用ＬＬＣ共振コンバーター。
【請求項４】
前記電流型のメインループ電流サンプリング装置が信号を送信して前記整流器を通じて出力し，該出力された電流信号が，ＬＬＣ共振メインループの高い周波数の全波整流された正弦波電流信号，あるいは，入力された周波数の変調によって作られる高い周波数の全波整流された正弦波電流信号であり，前記母線電圧が5％VmaxからVmaxの範囲で変化する場合，前記メインループエネルギー計量器具が前記母線における瞬間電圧の数値に対応するＬＬＣ共振メインループ電流の剰余エネルギーを計量して，安定しているエネルギー波形（Vo）を出力し，前記エネルギーコンパレーターに送信して比較させることを特徴とする請求項１又は２記載の全電圧域ＬＬＣコンバーター。
【請求項５】
ＬＬＣ共振変換回路の母線供電電圧として，ＤＣ，又は電源入力側の交流電気を整流して，エネルギー蓄積コンデンサ及びフリーホイールインダクタンスを経ることなく全波整流した正弦波電圧を入力する段階，
電流型のメインループ電流サンプリング装置が前記ＬＬＣ共振変換回路のメインループ電流信号をサンプリングして，整流器を通じて，該整流器と繋がるメインループエネルギー計量器具まで送信する段階，
前記母線の電圧がVmaxから5％Vmaxの範囲で変化する場合，前記メインループエネルギー計量器具は前記母線における瞬間電圧の数値に対応するＬＬＣ共振メインループ回路の剰余エネルギーを計量して，安定しているエネルギー波形（Vo）を出力する段階，
ＬＬＣ共振メインループの剰余共振エネルギーが所定の数値（Vf）に達すると，比較測定器であるエネルギーコンパレーターが制御信号を出力して，前記ＬＬＣ共振変換回路の対応する電子スイッチ（ｓ１）あるいは（ｓ２）を切り，ＬＬＣ共振メインループ回路の剰余エネルギーは次の半周期の運転に対応して電子スイッチを開通する時，ゼロ電圧の状態におく段階，
を含むことを特徴とする全電圧域ＬＬＣ共振コンバーターの制御方法。
【請求項６】
制御信号を出力してまず，ゼロパルスの発生をコントロールし，前記ゼロパルスが発振器のカットオフを制御し，分相継電制御器がＬＬＣ共振コンバート電気回路の対応する電子スイッチの開閉を制御することを特徴とする請求項５に記載の全電圧域ＬＬＣ共振コンバーターの制御方法。
【発明の詳細な説明】
【技術分野】
【０００１】
本発明は全電圧の範囲で使用可能なＬＬＣ共振コンバーター及びその制御方法に関わるものであり，ＬＬＣ共振パワー変換技術の分野に属する。
【背景技術】
【０００２】
ＬＬＣ共振コンバーター技術は電気自動車の非接触型充電サービス，電磁感応による加熱，スイッチ電源，非接触式のエネルギー送達などの業種に広く応用される。従来のＬＬＣ共振コンバーターは信頼性向上のために，位相ロックループ( PLL：Phase Locked Loop) 技術を採用する。ＬＬＣ共振コンバーターは高効率性，低電磁妨害性，回路制御が簡単で便利であるなど多くのメリットを備える。図１の示すように，共振電流の信号は変流器を通じてサンプリングされて位相ロックループ回路（PLL回路）まで送信され，位相ロックループPLLの出力信号と位相が比較されて，位相誤差電圧が生成され，平滑化フィルター（smoothing filter）を経由して，発振器で電流信号と同期させ，制御信号と共振メインループ電流信号を同期させ，その後，分相継電制御器を通じて，電子スイッチｓ１，ｓ２の開閉を制御する。しかし，従来の技術における中核の問題は位相ロックループPLLによる位相誤差電圧が平滑化フィルターを経由し，そのため，ＬＬＣ共振コンバーターがハードスイッチング（hard switching）の状態になることを防ぐために，５〜１０の段階を経る必要があることである。また，母線（busbar）の電圧変動，ラングタムな負荷（load）変化に直ちに反応できず，信頼性の問題を完全には解決しない。
【０００３】
２００４年，米国のIR会社は省エネランプの分野でIR2159シリーズのＬＬＣ共振コンバーターチップを開発した。ただし，これもＬＣＣ共振コンバーターの中核の信頼性の問題を完全には解決してはいない。その原因はIR2159シリーズが未だ位相ロックループPLL制御技術を採用し，積分回路を通じて，発振器の最小限度の周波数を制御するためである。そのためＬＬＣ共振パワーコンバーターにおける各開通パルスを直ちに制御できず信頼性も低くなっていき，大規模な工業生産が行えない。
【０００４】
中国の発明特許200680010615.6で開示される技術的手段は，メインループ電流があらかじめ設定された最大電流を超える時，メインループ電流の保持時間が制御システムによってあらかじめ定められる時間を超える時，又はメインループ電流がゼロの状態を経る（共振コンデンサが電圧信号を取得する）とき，次の半周期がゼロ電流，ゼロ電圧となるように開通パルスの出力を終了する。この方法の問題点は：電流がゼロの状態になると，ゼロ電流及びゼロ電圧で開通しているｓ１又はｓ２の閉鎖条件がなくなることである。その原因は，ＬＬＣ共振メインループ電流の剰余エネルギーは，同位相電流を流し続けて，次の開通パルスの半周期に，対応する電子スイッチを逆方向に導くために必要なエネルギーを提供できないためである。自然的ゼロ電圧，ゼロ電流の状態が見られない。その上，メインループのパラメーターの離散性及び負荷の不確定要素はタイマーと，メインループを経たゼロ電流の検出による開閉パルスの制御方法を不完全なものとする。
【発明の概要】
【発明が解決しようとする課題】
【０００５】
本発明は全電圧範囲用ＬＬＣ共振コンバーター及びその制御方法に関わるものであり，全電圧の範囲でＬＬＣ共振コンバーターが作動する。入力側（電源側）の交流電気は整流されて，エネルギー蓄積コンデンサを経ないで，また，「フリーホイールインダクタンス（freewheel inductance）（継続する電流インダクタンス）」を経ないで，全波整流した正弦波電圧を母線の給電電圧として，母線の電圧がVmaxから5％Vmaxの範囲で変化する場合，メインループエネルギー計量器具は母線の瞬間電圧の数値に対応するＬＬＣ共振メインループ電流の剰余エネルギーを計量して，ＬＬＣ共振メインループのエネルギーは次の半周期の運転時に，対応する電子スイッチの開通ゼロ電圧に必要なエネルギーに下げる時，すぐにＬＬＣ共振コンバーターの電子スイッチｓ１あるいはｓ２を切る。ＬＬＣ共振メインループ電流の剰余エネルギーは次の半周期の運転に対応した電子スイッチの開通時，ゼロ電圧の状態にされる。ＬＬＣ共振コンバーターの入力側（電源側）の電圧は交流電気（周波数50hz, 60hz交流電気）の状況で，エネルギー蓄積コンデンサ，フリーホイールインダクタンスを経ないので，電解コンデンサが壊れる可能性がなく，信頼性を完全に保証できる。入力側（電源側）の電流は交流電気の場合，ＬＬＣ共振コンバーターを半導体コンバーターとして設計することが可能である。コンバーターの全体的な寿命が半永久器具の寿命に等しい。背景技術の中で存在する問題を完全に解決する。
【課題を解決するための手段】
【０００６】
本発明は：
全電圧範囲用ＬＬＣ共振コンバーターであって，ＬＬＣ共振変換回路，電流型のメインループ電流サンプリング装置，整流器，メインループエネルギー計量器具，エネルギーコンパレーター（比較測定器），ゼロパルス発生器，発振器，分相継電制御器を包含する。これらはＬＬＣ共振変換回路，電流型のメインループ電流サンプリング装置，整流器，メインループエネルギー計量器具，エネルギーコンパレーター（比較測定器），ゼロパルス発生器，発振器，分相継電制御器の順で繋がっている。ＬＬＣ共振変換回路の母線供給電圧は，ＤＣでも，あるいは，入力側（電源側）の交流電気を整流して，エネルギー蓄積コンデンサとフリーホイールインダクタンスを経ない全波整流した正弦波電圧であっても良い。電流型のメインループ電流サンプリング装置がＬＬＣ共振変換回路のメインループ電流信号をサンプリングして，整流器で整流して，それから信号をメインループエネルギー計量器具に送信する。母線の電圧がVmaxから5％Vmaxの範囲で変化する場合，メインループエネルギー計量器具は母線の瞬間電圧の数値に対応するＬＬＣ共振メインループ電流の剰余エネルギーを計量して，安定しているエネルギー波形Voを出力する。ＬＬＣ共振メインループの剰余共振エネルギーが所定の数値に達する時，エネルギーコンパレーター（比較測定器）がゼロパルス発生器まで制御信号を出力して，ゼロパルス発生器が発振器までゼロパルスを出力し，発振器がゼロの状態になる。分相継電制御器がＬＬＣ共振変換回路に対応する電子スイッチｓ１あるいはｓ２の閉鎖を制御する。ＬＬＣ共振メインループの剰余エネルギーはＬＬＣ共振コンバーターにおける次の半周期の運転に対応して電子スイッチが開通する時，ゼロ電圧の状態にされる。
【０００７】
ＬＬＣ共振変換回路は，電子スイッチｓ１，ｓ２，ハーフブリッジ方式（又はフルブリッジ方式）の出力端によって画成され，この出力端間に共振インダクタンスLr，共振コンデンサCr，変圧器の一次巻線Trが直列に接続される。
【０００８】
この発明のＬＬＣ共振コンバーターのＬＣＣ共振変換回路は，フルブリッジ，ハーフブリッジ，または共振電力変換装置の構造に変更することができる。
【０００９】
本発明ＬＬＣ共振コンバーターにおけるエネルギー伝送方式は変圧器が電磁エネルギーとの結合(coupling)方式で出力でき，共振コンデンサが電界エネルギーを取り出して，電場エネルギーとの結合(coupling)方式で出力してもよい。
【００１０】
前述の電流型のメインループ電流サンプリング装置，整流器，メインループエネルギー計量器具，エネルギーコンパレーター（比較測定器），ゼロパルス発生器，発振器，分相継電制御器は本技術分野の当業者において既知の技術内容である。
【００１１】
電流型のメインループ電流サンプリング装置として電流型の電流サンプリング器具を採用することができ，これはホール素子（Hall Element）あるいは，変流器によって構成される。整流器は全波整流回路によって構成される。メインループエネルギー計量器具は変換リミッタ回路によって構成される。ゼロパルス発生器は微分回路である。
【００１２】
メインループエネルギー計量器具がメインループ電流の波形を計量して，エネルギーコンパレーター（比較測定器）が比較を行い，ＬＬＣ共振メインループの剰余共振エネルギーが所定の数値に達する時，エネルギーコンパレーター（比較測定器）が制御信号を出力して，ゼロパルス発生器に送信する。具体的に言うと，ＬＬＣ共振メインループエネルギー計量器具が受信した電流の波形を計量し，ＬＬＣ共振変換回路のメインループ剰余エネルギーQ1(Q1=△t×Io/2)が設定された数値Q2（図２の示すように，電子スイッチｓ１あるいはｓ２のゼロ電圧項目変換に必要なエネルギーQ2=Cp×Vin）よりも低いとき，エネルギーコンパレーター（比較測定器）が制御信号を出力して，ゼロパルス発生器に送信する。
【００１３】
電流型のメインループ電流サンプリング装置が信号を送信して，整流器を通じて，出力する。（母線の電圧が直流であるとき，）出力する電流信号は高い周波数の全波整流した正弦波電流信号である。すなわち，入力側（電源側）は交流電気（周波数50hz,60hz交流電気）の状態であり，これを，エネルギー蓄積コンデンサ，フリーホイールインダクタンスを経ないで，出力する電流信号を，受信した周波数（周波数50hz,60hz交流電気）を変調して作られる高い周波数の全波整流した正弦波電流信号とする。母線の電圧がVmaxから5％Vmaxの範囲で変化する場合，メインループエネルギー計量器具は母線の瞬間電圧の数値に対応するＬＬＣ共振メインループ電流の剰余エネルギーを計量して，安定しているエネルギー波形Voを出力し，エネルギーコンパレーター（比較測定器）に送信し，比較を行う。
【００１４】
本発明の全電圧範囲用ＬＬＣ共振コンバーターの制御方法には以下の段階が含まれる：ＬＬＣ共振コンバーターの母線供給電圧はＤＣであり，あるいは入力側（電源側）の交流電気を整流して得た，エネルギー蓄積コンデンサとフリーホイールインダクタンスを経ていない，全波整流した正弦波電圧である。電流型のメインループ電流サンプリング装置がＬＬＣ共振変換回路のメインループ電流信号を取り出して，整流器を通じて，それと繋がるメインループエネルギー計量器具まで送信する。母線の電圧がVmaxから5％Vmaxの範囲で変化する場合，メインループエネルギー計量器具は母線の瞬間電圧の数値に対応するＬＬＣ共振変換回路の剰余エネルギーを計量して，安定しているエネルギー波形Voを発生する。ＬＬＣ共振メインループの剰余共振エネルギーが所定の数値に達する時，エネルギーコンパレーター（比較測定器）が制御信号を発信して，ＬＬＣ共振変換回路に対応する電子スイッチｓ１あるいはｓ２の閉鎖を制御する。ＬＬＣ共振変換回路の剰余エネルギーは次の半周期の運転で対応する電子スイッチが開通する時，ゼロ電圧の状態にされる。
【００１５】
前述の出力された制御信号は，まず，ゼロパルスの発生をコントロールすることができ，ゼロパルスが発振器のカットオフを制御する。分相継電制御器がＬＬＣ共振変換回路に対応する電子スイッチの開閉を制御する。
【００１６】
本発明のＬＬＣ共振コンバーターにおいて，母線電圧がＤＣの状態で作動するモデルは上記の説明から本技術分野における当業者であれば容易に理解できることから，ここでの説明は省略する。
【００１７】
本発明を採用することで，背景技術中の一次側のエネルギー貯蔵コンデンサとフリーホイールインダクタンスを取り除くことができる。入力側（電源側）の交流電気は整流されて，ＬＬＣ共振コンバーターの母線供給電圧として使用する。ＬＬＣ共振コンバーターは母線電圧が全波整流した正弦波電圧５％〜１００％範囲で，電子スイッチｓ１，ｓ２のゼロ電圧状態の開通を実現する。因って，本発明を全電圧範囲用ＬＬＣ共振コンバーターと命名した。この発明は，PFCとDC/DC，DC/ACのパワー変換機能をも実現する。
【００１８】
本発明は背景技術中の一次側のエネルギー貯蔵コンデンサとフリーホイールインダクタンスを取り除いて，ＬＬＣ共振コンバーターにおける高効率の機能性を保証するうえで，信頼性を向上させ（エネルギー蓄積コンデンサが高温の状況で，失効機率が高いためである。），かつ，コストを下げる。ＬＬＣ共振コンバーターは入力側（電源側）の給電が交流電気の状況で，コンバーターを半導体で設計することが可能である。コンバーターの全体的な寿命は半永久器具の寿命に等しい。電気自動車の非接触型の充電サービス，電磁感応による加熱，スイッチ電源，非接触式なエネルギー送達などの業種に広く応用される。
【図面の簡単な説明】
【００１９】
【図１】従来技術の概略回路図。図中，位相ロックループPLL (Phase Locked Loop)２０，発振器１２，分相継電制御器１１。
【図２】本発明の実施例の概略回路図。図中，ＬＬＣ共振変換回路１，電流型のメインループ電流サンプリング装置２１，整流器２２，メインループエネルギー計量器具２３，エネルギーコンパレーター（比較測定器）２４，ゼロパルス発生器２５，発振器１２，分相継電制御器１１，電子スイッチｓ１，ｓ２。共振インダクタンスLr，共振電容Cr，変圧器Tr，ＬＬＣ共振コンバーターメインループ高頻度電流Io，電子スイッチ等価電容Cp.
【図３】本発明の実施例の母線供給電圧の波形図。
【図４】本発明の実施例の母線電圧の最大値，最小値の波形図。
【図５】本発明の実施例の整流器が出力する高い周波数の電流を示した，図４と対応した波形図。
【図６】本発明の実施例のメインループエネルギー計量器具が出力するエネルギー波形を示した，図５と対応する波形図。
【図７】本発明の実施例の分相継電制御器が発生する（カットオフ  パルスcutoff pulse）を示した，図６と対応する波形図。
【図８】図４，５，６，７，のシーケンス図である。
【００２０】
図の中で，（周波数50hz, 60hz交流電気），周期T0，（周波数50hz, 60hz交流電気）は全波整流によって，最大値の時刻がt1，最小値の時刻がｔ２，開通パルスの周期がTs，メインループエネルギー計量器具が波形V0を発生し，エネルギーコンパレーター（比較測定器）の基準値Vf，電子スイッチｓ１，ｓ２の閉鎖時刻からＬＬＣメインタンク剰余エネルギーがゼロになるまでにかかる時間が△tである。
【実施例】
【００２１】
添付図面を参照して，実施例を通じて，本発明の内容をさらに説明する。
【００２２】
図２を参照して，実施例中，全電圧範囲用ＬＬＣ共振コンバーターは，ＬＬＣ共振変換回路１，電流型のメインループ電流サンプリング装置２１，整流器２２，メインループエネルギー計量器具２３，エネルギーコンパレーター（比較測定器）２４，ゼロパルス発生器２５，発振器１２，分相継電制御器１１を包含する。これらは，電流型のメインループ電流サンプリング装置，整流器，メインループエネルギー計量器具，エネルギーコンパレーター（比較測定器），ゼロパルス発生器，発振器，分相継電制御器の順に繋がっている。ＬＬＣ共振変換回路の母線供給電圧はＤＣでも良く，あるいは，入力側（電源側）の交流電気を整流のみ行い，エネルギー蓄積コンデンサとフリーホイールインダクタンスを経ていない全波整流正弦波電圧であっても良い。電流型のメインループ電流サンプリング装置がＬＬＣ共振変換回路のメインループ電流信号をサンプリングして，整流器で整流して，それから信号をメインループエネルギー計量器具に送信する。母線の電圧がVmaxから5％Vmaxの範囲で変化する場合，メインループエネルギー計量器具は母線の瞬間電圧の数値に対応するＬＬＣ共振メインループ電流の剰余エネルギーを計量して，安定しているエネルギー波形Voを発生する。ＬＬＣ共振変換回路のメインループ剰余エネルギーQ1が所定の数値Q２に達する時，エネルギーコンパレーター（比較測定器）が制御信号を発信して，ゼロパルス発生器まで送信する。ゼロパルス発生器が発振器までゼロパルスを送信し，発振器がゼロの状態になる。分相継電制御器がＬＬＣ共振変換回路に対応する電子スイッチの閉鎖を制御する。ＬＬＣ共振メインループの剰余エネルギーはＬＬＣ共振コンバーターにおける次の半周期の運転時に対応する電子スイッチが開通する時，ゼロ電圧の状態にされる。ＬＬＣ共振変換回路は，電子スイッチｓ１，ｓ２，ハーフブリッジ方式の発信側が共振インダクタンスLr，共振コンデンサCr，変圧器の一次巻線Trを通じて，直列接続によって構成される。メインループエネルギー計量器具がメインループ電流の波形を計量して，エネルギーコンパレーター（比較測定器）が比較を行い，ＬＬＣ共振メインループの剰余共振エネルギーが所定の数値に達する時，エネルギーコンパレーター（比較測定器）が制御信号を発信して，ゼロパルス発生器まで送信する。電流型のメインループ電流サンプリング装置は電流型の電流サンプリング器具を採用し，これはホール素子あるいは，変流器によって構成される。整流器は全波整流回路によって構成される。メインタンクエネルギー計量器具は変換リミッタ回路によって構成される。ゼロパルス発生器は微分回路である。
【００２３】
電流型のメインループ電流サンプリング装置が信号を送信して，整流器を通じて，発信する。発信する電流信号は高い周波数の全波整流した正弦波電流信号である。あるいは，受信する交流電気（周波数50hz, 60hz交流電気）を周波数変調して作られる高い周波数の全波整流した正弦波電流信号である。母線の電圧がVmaxから5％Vmaxの範囲で変化する場合，メインタンクエネルギー計量器具は母線の瞬間電圧の数値に対応するＬＬＣ共振メインタンク電流の剰余エネルギーを計量して，安定しているエネルギー波形Voを発生する。エネルギーコンパレーター（比較測定器）まで送信し，比較を行う。
【００２４】
全電圧範囲用ＬＬＣ共振コンバーターの制御方法は以下の段階を含む：ＬＬＣ共振コンバーターの母線供給電圧はＤＣであり，あるいは入力側（電源側）の交流電気を整流した，エネルギー蓄積コンデンサとフリーホイールインダクタンスを経ていない，全波整流した正弦波電圧である。電流型のメインループ電流サンプリング装置がＬＬＣ共振変換回路のメインループ電流信号を取り出して，整流器を通じて，それと繋がるメインループエネルギー計量器具まで送信する。母線の電圧がVmaxから5％Vmaxの範囲で変化する場合，メインループエネルギー計量器具は母線の瞬間電圧の数値に対応するＬＬＣ共振変換回路の剰余エネルギーを計量して，安定しているエネルギー波形Voを出力する。ＬＬＣ共振メインループの剰余共振エネルギーが所定の数値に達する時，エネルギーコンパレーター（比較測定器）が制御信号を出力して，ＬＬＣ共振変換回路に対応する電子スイッチｓ１あるいはｓ２の閉鎖を制御する。ＬＬＣ共振変換回路の剰余エネルギーは次の運転半周期に対応して電子スイッチが開通する時，ゼロ電圧の状態にさせる。
【００２５】
図３は，本実施例の母線供給電圧の波形図。図４は本発明実施例の母線電圧の最大値，最小値の波形図。図５は本発明実施例の整流器が出力する高い周波数の電流を示し，図４と対応する波形図である。図６は本発明実施例のメインループエネルギー計量器具が出力するエネルギー波形を示し，図５と対応する波形図である。図７は本発明実施例の分相継電制御器が出力する（カットオフパルス：cutoff pulse）を示し，図６と対応する波形図である。図８は図４，５，６，７，のシーケンス図である。添付図中の制御域は，母線の電圧に関しVmaxから5％Vmaxの変化する場合である。
【００２６】
本技術はＬＬＣ共振コンバーターの入力側の電圧が直流電流，工業用三相交流電流及び一般向け単相交流電流の供電システムの場合でも適用できる。
【図１】
2013530670.tif 000003
【図２】
2013530670.tif 000004
【図３】
2013530670.tif 000005
【図４】
2013530670.tif 000006
【図５】
2013530670.tif 000007
【図６】
2013530670.tif 000008
【図７】
2013530670.tif 000009
【図８】
2013530670.tif 000010
【国際調査報告】
2013530670.tif 000011
2013530670.tif 000012
2013530670.tif 000013
2013530670.tif 000014